(57)【要約】【課題】簡単な操作によりプリント出力することができる撮像装置。【解決手段】撮影後に、その撮像した画像に重ねてプリント出力するか否かの問い合わせ情報をディスプレイに表示する。ユーザーがプリントボタンを操作してプリント出力させる指示を入力すると、撮像装置に搭載されたプリンターが駆動して問い合わせた画像がプリント出力される。【選択図】　　図６
2004120482.tif 000002
【特許請求の範囲】
【請求項１】
被写体を撮像する撮像手段と、
撮像された前記被写体の画像情報を記憶する記憶手段と、
記憶された前記画像情報に基づいて再生される画像及び各種情報を表示する表示手段と、
前記画像をプリント出力するプリント出力手段と、
前記プリント出力させる指示を入力する入力手段と、
撮像後にその撮像画像をプリント出力するか否かの報知情報を前記表示手段に表示させるとともに、プリント出力させる指示が入力された場合に前記撮像画像を前記プリント出力手段にプリント出力させる第１プリントモードとする制御手段と、
を有することを特徴とする撮像装置。
【請求項２】
被写体を撮像する撮像手段と、
撮像された前記被写体の画像情報を記憶する記憶手段と、
記憶された前記画像情報に基づいて再生される画像及び各種情報を表示する表示手段と、
前記画像をプリント出力するプリント出力手段と、
撮像後にその撮像画像を自動的に前記プリント出力手段にプリント出力させる第２プリントモードによりプリント出力手段を制御する制御手段と、
を有することを特徴とする撮像装置。
【請求項３】
被写体を撮像する撮像手段と、
撮像された前記被写体の画像情報を記憶する記憶手段と、
記憶された前記画像情報に基づいて再生される画像及び各種情報を表示する表示手段と、
前記画像をプリント出力するプリント出力手段と、
前記プリント出力させる指示を入力する入力手段と、
撮像後にその撮像画像をプリント出力するか否かの報知情報を前記表示手段に表示させるとともに、所定時間経過してもプリント出力する指示が入力されない場合に前記撮像画像を前記プリント手段にプリント出力させる第３プリントモードとする制御手段と、
を有することを特徴とする撮像装置。
【請求項４】
被写体を撮像する撮像手段と、
撮像された前記被写体の画像情報を記憶する記憶手段と、
記憶された前記画像情報に基づいて再生される画像及び各種情報を表示する表示手段と、
前記画像をプリント出力するプリント出力手段と、
前記プリント出力させる指示を入力する入力手段と、
撮像後にその撮像画像をプリント出力するか否かの報知情報を前記表示手段に表示させるとともに、所定時間経過してもプリント出力する指示が入力されない場合に前記報知情報の表示を消去して撮像可能な待機状態に設定する第４プリントモードとする制御手段と、
を有することを特徴とする撮像装置。
【請求項５】
前記第１〜第４プリントモードの少なくとも２つ以上のプリントモードを備え、その複数のプリントモードを選択的に切り替えるプリントモード切替手段が設けられていることを特徴とする請求項１〜請求項４の何れか１項記載の撮像装置。
【請求項６】
前記記憶手段は前記画像情報を複数記憶可能とされ、撮像後又は前記撮像可能な待機状態において前記複数記憶された中から前記表示手段に表示する画像を選択的に切り替える表示画像切替手段が設けられていることを特徴とする請求項１〜請求項５の何れか１項記載の撮像装置。
【請求項７】
被写体を撮像する撮像手段と、
撮像された前記被写体の画像情報を複数記憶可能な記憶手段と、
記憶された前記画像情報に基づいて再生される画像及び各種情報を表示する表示手段と、
撮像後又は撮像可能な待機状態において前記複数記憶された中から前記表示手段に表示する画像を選択的に切り替える表示画像切替手段と、
を有することを特徴とする撮像装置。
【発明の詳細な説明】
【０００１】
【発明の属する技術分野】
本発明は撮像装置に係り、詳細には、プリンターを搭載して撮像された画像をプリント出力することができる撮像装置に関する。
【０００２】
【従来の技術】
プリンターを搭載したデジタル電子スチルカメラ等の撮像装置は、撮像及びその撮像した被写体像のデジタル画像データを内蔵された、又は外部に取り出し可能な記憶媒体に記憶する撮影モードと、記憶媒体に記憶されている画像（デジタル画像データ）を撮像装置に搭載されたＬＣＤ等の表示装置、又は外部の表示装置に表示させる再生モードとの主に２つのモードを備えている。画像のプリント出力に際しては、再生モードの状態で、ユーザーはプリントしたい画像を表示装置上へ表示させたり、複数の表示画像の中からプリント画像を選択するようになっている。
【０００３】
また、プリント出力に関しては、撮影モードの状態で撮影終了直後に、直前に撮影した画像を表示し、その画像に対して、プリント指定処理を含む種々の操作を加えるというものもある（例えば、特許文献１参照）。
【０００４】
【特許文献１】
特開２００１−１８６３８６公報（第８‐１０頁、第２図）
【０００５】
【発明が解決しようとする課題】
しかしながら、従来のプリント出力では、撮影直後にプリント出力する場合、
ユーザーが撮影モードから再生モードに切り替えプリント出力する指示を与えなければならない煩わしさがある。また、撮影モードの状態でプリント指定処理を実行する従来例の場合も、そのプリント指定処理は再生モード時にプリントするかしないかのフラグを与えるものであるため、プリント指定処理後に直ちにプリント動作させるものではない。
【０００６】
したがって、撮影後、直ちにプリント出力したい場合、あるいは撮影とプリント出力を繰り返し行うような場合などは操作が煩雑となり、また、誤操作により撮影した画像を消去してしまう恐れもある。
【０００７】
本発明は上記事実を考慮して、簡単な操作によりプリント出力することができる撮像装置を提供することを課題とする。
【０００８】
【課題を解決するための手段】
上記目的を達成するために請求項１に記載の発明は、被写体を撮像する撮像手段と、撮像された前記被写体の画像情報を記憶する記憶手段と、記憶された前記画像情報に基づいて再生される画像及び各種情報を表示する表示手段と、前記画像をプリント出力するプリント出力手段と、前記プリント出力させる指示を入力する入力手段と、撮像後にその撮像画像をプリント出力するか否かの報知情報を前記表示手段に表示させるとともに、プリント出力させる指示が入力された場合に前記撮像画像を前記プリント出力手段にプリント出力させる第１プリントモードとする制御手段と、を有することを特徴としている。
【０００９】
請求項１に記載の発明では、撮像手段により撮像された被写体の画像情報が記憶手段に記憶されて撮影が行われ、制御手段により制御される表示手段には、撮影後にその撮像画像をプリント出力するか否かの報知情報が表示される。なお、この報知情報は、記憶手段に記憶された画像情報に基づいて表示手段に再生・表示される被写体の画像に重ねたり、被写体の画像表示領域以外に表示させることができ、また画像無しで報知情報のみを表示させることもできる。
【００１０】
ここで、ユーザーが入力手段を操作してプリント出力させる指示を入力すると、その指示に基づいて制御手段はプリント出力手段を駆動制御し、報知情報と対応する画像、すなわち直前に撮像された画像をプリント出力させる。このような第１プリントモードにより、プリント出力の操作が簡単になる。
【００１１】
請求項２に記載の発明は、被写体を撮像する撮像手段と、撮像された前記被写体の画像情報を記憶する記憶手段と、記憶された前記画像情報に基づいて再生される画像及び各種情報を表示する表示手段と、前記画像をプリント出力するプリント出力手段と、撮像後にその撮像画像を自動的に前記プリント出力手段にプリント出力させる第２プリントモードによりプリント出力手段を制御する制御手段と、を有することを特徴としている。
【００１２】
請求項２に記載の発明では、撮像手段により撮像された被写体の画像情報が記憶手段に記憶されて撮影が行われた後に、制御手段はプリント出力手段を駆動制御して、直前に撮像された画像を自動的にプリント出力させる。このような第２プリントモードにより、プリント出力が更に簡単になる。
【００１３】
請求項３に記載の発明は、被写体を撮像する撮像手段と、撮像された前記被写体の画像情報を記憶する記憶手段と、記憶された前記画像情報に基づいて再生される画像及び各種情報を表示する表示手段と、前記画像をプリント出力するプリント出力手段と、前記プリント出力させる指示を入力する入力手段と、撮像後にその撮像画像をプリント出力するか否かの報知情報を前記表示手段に表示させるとともに、所定時間経過してもプリント出力する指示が入力されない場合に前記撮像画像を前記プリント手段にプリント出力させる第３プリントモードとする制御手段と、を有することを特徴としている。
【００１４】
請求項３に記載の発明では、撮像手段により撮像された被写体の画像情報が記憶手段に記憶されて撮影が行われた後に、制御手段により制御される表示手段には、撮影後にその撮像画像をプリント出力するか否かの報知情報が表示される。
【００１５】
ここで、プリント出力させる指示が所定時間経過しても入力手段から入力されない場合は、制御手段によりプリント出力手段が駆動制御されて報知情報と対応する画像がプリント出力される。なお、所定時間内に入力手段からプリント出力させる指示が入力された場合には、プリント出力させることもできる。このような第３プリントモードによっても、プリント出力の操作が簡単になる。
【００１６】
請求項４に記載の発明は、被写体を撮像する撮像手段と、撮像された前記被写体の画像情報を記憶する記憶手段と、記憶された前記画像情報に基づいて再生される画像及び各種情報を表示する表示手段と、前記画像をプリント出力するプリント出力手段と、前記プリント出力させる指示を入力する入力手段と、撮像後にその撮像画像をプリント出力するか否かの報知情報を前記表示手段に表示させるとともに、所定時間経過してもプリント出力する指示が入力されない場合に前記報知情報の表示を消去して撮像可能な待機状態に設定する第４プリントモードとする制御手段と、を有することを特徴としている。
【００１７】
請求項４に記載の発明では、撮像手段により撮像された被写体の画像情報が記憶手段に記憶されて撮影が行われた後に、制御手段により制御される表示手段には、撮影後にその撮像画像をプリント出力するか否かの報知情報が表示される。
【００１８】
ここで、プリント出力させる指示が所定時間経過しても入力手段から入力されない場合は、報知情報の表示が消去されて撮像装置は撮像可能な待機状態に設定される。なお、所定時間内に入力手段からプリント出力させる指示が入力された場合には、プリント出力させることもできる。このような第４プリントモードにより、撮影した画像の確認後にプリント出力をせず、撮像待機状態に戻す際の操作が簡単になる。
【００１９】
請求項５に記載の発明は、請求項１〜請求項４の何れか１項記載の撮像装置において、前記第１〜第４プリントモードの少なくとも２つ以上のプリントモードを備え、その複数のプリントモードを選択的に切り替えるプリントモード切替手段が設けられていることを特徴としている。
【００２０】
請求項５に記載の発明では、プリントモード切替手段により選択的に切り替えられる複数のプリントモードを備えることで、プリント出力機能のバリエーションが増え利便性が高められる。
【００２１】
請求項６に記載の発明は、請求項１〜請求項５の何れか１項記載の撮像装置において、前記記憶手段は前記画像情報を複数記憶可能とされ、撮像後又は前記撮像可能な待機状態において前記複数記憶された中から前記表示手段に表示する画像を選択的に切り替える表示画像切替手段が設けられていることを特徴としている。
【００２２】
また、請求項７に記載の発明は、被写体を撮像する撮像手段と、撮像された前記被写体の画像情報を複数記憶可能な記憶手段と、記憶された前記画像情報に基づいて再生される画像及び各種情報を表示する表示手段と、撮像後又は撮像可能な待機状態において前記複数記憶された中から前記表示手段に表示する画像を選択的に切り替える表示画像切替手段と、を有することを特徴としている。
【００２３】
請求項６及び請求項７に記載の発明では、撮像後又は撮像可能な待機状態において、表示画像切替手段を操作することにより、表示手段に表示される画像を選択的に切り替えることができる。これにより、ユーザーは、特に撮影及び再生モードの切り替え操作などすることなく、以前に撮影した画像を簡単に確認することができる。
【００２４】
【発明の実施の形態】
以下、図面を参照して、本発明の実施の形態について詳細に説明する。なお、本実施の形態では、本発明を、撮影した画像をプリント出力するプリンターを搭載したデジタル電子スチルカメラ（所謂「デジタル　インプリンターカメラ」で、以下、単に「デジタルカメラ」という）に適用した場合について説明する。
【００２５】
図１及び図２には、本発明の一実施形態に係るデジタルカメラの外観が示されており、図３には、デジタルカメラの構成がブロック図で示されている。
【００２６】
図１及び図２に示されるように、本実施形態のデジタルカメラ１０は略箱型とされたコンパクトタイプであり、カメラボディ１１内に、所定枚数のプリント用紙（以下、「フィルム」という場合がある）を備えたカラープリントパック１２（例えば、１パック２０枚撮）が装填されている。なお、このプリントパック１２はカメラボディ１１の図示しない開閉パネル部から交換可能となっている。
【００２７】
カメラボディ１１の上面略中央には、撮影した画像のプリント（フルカラープリント）１３が排出されるプリント排出孔１４が設けられており、上面一側端部にシャッタボタン１６が配設されている。カメラボディ１１の前面一側端部には、撮影レンズ１８が組み込まれ、前面上部に、フラッシュライト（ストロボ発光部）２０が埋設されている。
【００２８】
図２に示されるように、カメラボディ１１の背面には、一側端上部に光学ファインダ２２、他側端中央部に電源スイッチ２４が設けられており、背面略中央に、ＬＣＤ（液晶ディスプレイ）によりカラー表示可能に構成されたディスプレイ２６が埋設されている。ディスプレイ２６の周囲には、ディスプレイ２６に表示される再生画像を変更するためのＵｐボタン２８及びＤｏｗｎボタン３０と、オート及びマニュアル撮影、デジタルズーム撮影、マクロ撮影、夜景や逆光シーンの撮影時に用いるシンクロ撮影、シャープネス設定等の撮影機能に関するものや、撮影した画像を簡単に確認できるマルチ再生（複数画面）、自動再生（オートプレイ）、拡大して再生できる再生ズーム、画像サイズを変更するリサイズ機能等の表示機能に関する各種設定を行うための設定ボタン３２、３４、３６と、プリントモードを切り替えるプリントモードボタン３８、及びプリント出力を実行するプリントボタン４０とが設けられている。
【００２９】
また、図３に示されるように、本実施形態のデジタルカメラ１０は、被写体像を結像させるための撮影レンズ１８の光軸前方に配置されてデジタルカメラ１０の不使用時に撮影レンズ１８を保護するレンズバリア４２と、撮影レンズ１８の光軸後方に配設され絞り機能を備えるシャッタ４４と、光学像を電気信号（アナログ信号）に変換する撮像素子（ＣＣＤ（Ｃｈａｒｇｅ　Ｃｏｕｐｌｅｄ　Ｄｅｖｉｃｅ））４６と、Ａ／Ｄコンバータ等の信号処理回路部を有して撮像素子４６からの出力信号に基づき被写体像を示すデジタル画像データを生成するアナログフロントエンド４８と、撮像素子４６及びアナログフロントエンド４８を駆動するためのタイミング信号や制御信号を生成するタイミング発生器５０と、マイクロプロセッサを有してデジタル画像データに所定の画素補間処理や色変換処理等を行う画像処理部５２と、デジタル画像データを一時的に記憶する高速アクセス可能なＳＤＲＡＭ（Ｓｙｎｃｈｒｏｎｏｕｓ　ＤＲＡＭ）等の高速演算用メモリ５４と、デジタル画像データを蓄積する、電気的に記録・消去可能なフラッシュＰＲＯＭ等の画像蓄積用メモリ５６と、ＣＰＵ（中央演算処理装置）を有してデジタルカメラ１０の全体的な動作を司る主制御部５８と、各種パラメータやプログラム等を記憶したＲＯＭ６０と、レンズバリア４２を開閉するレンズバリアモータ（図示省略）を駆動制御するバリア制御部６２と、撮影レンズ１８のズームモータ（図示省略）を駆動制御するズーム制御部６４と、撮影レンズ１８の焦点調整モータ（図示省略）を駆動制御する測距制御部６６と、シャッタ４４及びシャッタ４４に含まれる絞り（図示省略）を駆動制御する露光制御部６８と、フルカラー画像をプリント出力するプリンター７０と、電源部７２及び電源部７２を制御する電源制御部７４とを備えている。
【００３０】
プリンター７０は、プリント用紙に画像を形成するプリントヘッド（蛍光表示管プリントヘッド：ＶＦＰＨ（Ｖａｃｕｕｍ　Ｆｌｕｏｒｅｓｃｅｎｔ　Ｐｒｉｎｔ　Ｈｅａｄ：））７６と、プリントヘッド７６のプリント動作を制御するプリントヘッド制御部７８と、プリントヘッド７６を移動させるプリントヘッドモータ８０と、プリントヘッドモータ８０を駆動制御するモータ制御部８２と、現像ユニット８４とを含んで構成されている。
【００３１】
また、前述した各種操作スイッチ（シャッタボタン１６、電源スイッチ２４、Ｕｐボタン２８、Ｄｏｗｎボタン３０、設定ボタン３２、３４、３６、プリントモードボタン３８、及びプリントボタン４０）からなる操作スイッチ群８６とフラッシュライト２０とは、主制御部５８に接続されており、画像や各種情報を表示するディスプレイ２６は画像処理部５２と接続されている。なお、ディスプレイ２６は、撮像素子４６による連続的な撮像によって得られた動画像（スルー画像）を表示してファインダとして使用することができる。
【００３２】
これにより、撮像素子４６は、撮影レンズ１８により結像された光学像（被写体像）を電気信号に変換してアナログフロントエンド４８に出力する。アナログフロントエンド４８は、入力された信号をＡ／Ｄコンバータによりデジタル画像データに変換すると共に、微弱なＣＣＤ出力信号を最適なレベルに合わせ込む信号の増幅、及び信号処理の過程で発生するノイズ成分の除去等を行って画像処理部５２に出力する。
【００３３】
画像処理部５２は、内蔵しているラインバッファにアナログフロントエンド４８から順次入力されるデジタル画像データを蓄積して、一旦、高速演算用メモリ（ＳＤＲＡＭ）５４に格納する。高速演算用メモリ５４に格納されたデジタル画像データは、主制御部５８によって読み出され、これらに光源種に応じたデジタルゲインをかけることでホワイトバランス調整を行なうと共に、ガンマ処理及びシャープネス処理を行なって８ビットのデジタル画像データを生成し、更にＹＣ信号処理して輝度信号Ｙとクロマ信号Ｃｒ、Ｃｂ（以下、「ＹＣ信号」という）を生成し、ＹＣ信号を再び高速演算用メモリ５４に格納する。また、ディスプレイ２６をファインダとして使用する場合には、生成したＹＣ信号をディスプレイ２６順次出力することで、ディスプレイ２６にスルー画像がモニタ表示される。
【００３４】
撮影においては、撮影者は、光学ファインダ２２を通し、又はディスプレイ２６に表示されるスルー画像を視認してフレームを決め、シャッタボタン１６を押圧操作する。シャッタボタン１６が押されると、主制御部５８は、高速演算用メモリ５４に格納されたＹＣ信号を、画像処理部５２を介して画像蓄積用メモリ（Ｆｌａｓｈ）５６に記憶するとともに、撮影した静止画像をディスプレイ２６に表示する。
【００３５】
一方、主制御部５８に制御される露光制御部６８は、シャッタ４４及びシャッタ４４に含まれる絞りを駆動させるためのタイミング信号をシャッタ４４に出力し、タイミング発生器５０は、撮像素子４６を駆動させるためのタイミング信号を撮像素子４６に、アナログフロントエンド４８を駆動させるためのタイミング信号をアナログフロントエンド４８に、各々出力する。
【００３６】
また、本実施形態の撮影レンズ１８は、複数枚のレンズを有し、焦点距離の変更（変倍）が可能なズームレンズとして構成されており、図示しないレンズ駆動機構を備えている。レンズ駆動機構には、ズームモータ及び焦点調整モータが含まれており、ズームモータは、主制御部５８の制御下でズーム制御部６４から供給された駆動信号によって駆動され、焦点調整モータは、主制御部５８の制御下で測距制御部６６から供給された駆動信号によって駆動される。
【００３７】
主制御部５８は、光学ズーム倍率を変更する際にはズームモータを駆動制御して撮影レンズ１８の焦点距離を変化させる。また、主制御部５８は、撮像素子４６による撮像によって得られた画像のコントラストが最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Ｔｈｒｏｕｇｈ　Ｔｈｅ　Ｌｅｎｓ）方式を採用しており、オートフォーカス・フレームによって示される撮影位置に被写体が位置した状態でシャッタボタン１６を半押しすることによって、自動的に合焦制御が為されるように構成されている。
【００３８】
また、本実施形態のデジタルカメラ１０は、電源スイッチ２４が操作されて電源が入れられと、前回使用したときの最後に撮影された画像がディスプレイ２６に表示される。なお、未撮影、あるいは撮影した画像がすべて消去されている場合には、予め記憶されている標準の画像が表示される。またアイドル状態では、ディスプレイ２６に、フィルム全枚数、フィルム残数、バッテリ状態、メモリに撮影可能な全枚数、撮影可能な残り枚数、外部装置との接続状態、及び、撮影や表示の設定等に関する各種情報が表示される。図４は、それらの情報がディスプレイ２６に表示された一例を示したものであり、表示する情報については、設定ボタン３２、３４、３６の操作により任意に切り替えることができる。
【００３９】
また、上述した撮像動作により撮影された画像は、撮影直後にディスプレイ２６に表示されるが、撮影完了後又は撮像可能な待機状態においては、表示画像切替手段としてのＵｐボタン２８、Ｄｏｗｎボタン３０を操作することによって画像が選択的に切り替えられるようになっている。ここでは、Ｕｐボタン２８又はＤｏｗｎボタン３０の押圧操作により、以前に撮影した画像データが読み出されて画像がＬＣＤディスプレイに表示される。画像表示の変更については、Ｕｐボタン２８を押す毎に現表示画像以後に撮影された画像が、Ｄｏｗｎボタン３０を押す毎に、現表示画像以前に撮影された画像が、順次、ディスプレイ２６に表示される。これにより、以前に撮影した画像を確認する際の操作が簡単になる。
【００４０】
一方、プリント動作については、基本的には、プリント出力させる指示を入力する入力手段としてのプリントボタン４０が押圧操作されると、その指示に基づき主制御部５８がプリンター７０を駆動制御して、ディスプレイ２６に表示されている画像をプリント出力する。ただし、以下に述べるプリントモードの設定によっては、プリントボタン４０を押圧操作しなくてもプリント出力される場合がある（詳細は後述する）。
【００４１】
以前に撮影した画像をプリントする場合は、Ｕｐボタン２８、Ｄｏｗｎボタン３０の操作により、プリントしたい画像をディスプレイ２６に表示させてから、プリントボタン４０を押すことにより、過去の画像のプリントが得られる。また、同じ画像を複数枚プリントしたい場合は、プリントボタン４０を必要回数押すことにより、プリント動作が連続して行われて押圧操作回数分のプリントが得られる。なお、プリント動作が終了した際は、フィルムの残枚数が通常とは異なった状態に表示されて、ユーザーにフィルムの残枚数を確認させるようになっている。
【００４２】
また、本実施形態のデジタルカメラ１０には４種類のプリントモードが備えられており、それらのプリントモードは、プリントモード切替手段としてのプリントモードボタン３８を押圧操作することによって選択的に切り替えられるようになっている。
【００４３】
次に、図５〜図１０を参照して、本実施の形態に係るデジタルカメラ１０の作用を説明する。なお、図６〜図１０は、以下に説明する各プリントモードにおいてデジタルカメラ１０の主制御部５８（ＣＰＵ）で実行されるプリント処理プログラムの処理の流れを示すフローチャートであり、このプログラムはＲＯＭ６０の所定領域に予め記憶されている。
【００４４】
プリントモードとしては、
（１）通常プリントモード（第１プリントモード）
（２）自動（強制）プリントモード（第２プリントモード）
（３）半自動プリントモード（第３プリントモード）
（４）簡易プリントモード（第４プリントモード）
が用意されており、これらのプリントモードは、プリントモードボタン３８を押圧操作する毎に第１〜第４の順に切り替わる。以下、第１プリントモードから順に説明する。
（第１プリントモード）
撮影者がプリントモードボタン３８を押圧操作して第１プリントモードを選択し、第１プリントモードプログラムの実行を指示する旨の設定が行われると、ディスプレイ２６には、第１プリントモードが選択されたことを示すマーク等の情報が表示される。
【００４５】
図６に示されるように、ステップ１００で第１プリントモードが設定され、ステップ１０２で撮影が行われると、ステップ１０４では、図５に示されるように、ディスプレイ２６に撮影画像９０が表示されるとともに、「プリントしますか？」という問い合わせ情報９２が、撮影画像９０に重ね合わせて表示される。撮影者は、この問い合わせ情報９２によって、デジタルカメラ１０がプリント可能状態にあることを容易に認識できる。
【００４６】
次のステップ１０６では、プリント出力するか否かが判定され、プリントボタン４０の押圧操作による肯定判定の場合には、ステップ１０８のプリント処理に移行し、撮影画像９０をプリント出力する。プリント出力後は、ステップ１１０で問い合わせ情報９２をディスプレイ２６から消去し、ステップ１１２で次の撮影が可能な待機状態に設定し、その後に本第１プリントモードプログラムを終了する（ステップ１１４）。なお、ステップ１１０で問い合わせ情報９２が消去された状態でも、その後に他の操作を加えなければ、プリントボタン４０の連続的な押圧操作による複数枚のプリント出力が実行可能である。
【００４７】
プリント処理については、図７に示されるように、ステップ１２０でプリント処理を開始すると、ステップ１２２では、主制御部５８の制御下でモータ制御部８２がプリントヘッドモータ８０を駆動制御しプリントヘッド７６を初期位置にセットするなどの初期設定を実行する。次にステップ１２４で、プリントヘッド７６を移動させながら、主制御部５８の制御下でプリントヘッド制御部７８からプリントヘッド７６にデータを転送し、プリント動作を行う。さらに、ステップ１２６で、プリント用紙の現像を行い、画像形成されたプリント用紙をプリント排出孔１４から排出して本プリント処理を終了する（ステップ１２８）。
【００４８】
また、第１プリントモードのステップ１０６で、プリントボタン４０が押圧操作されず、例えば、設定ボタン３２、３４、３６やＵｐボタン２８、Ｄｏｗｎボタン３０等が操作されて他の指示が入力され場合は、プリント出力に対する否定判定が下されて、ステップ１１０に移行し問い合わせ情報９２の表示が消去され、ステップ１１２で撮影待機状態に設定されるか、あるいは、上記操作に応じた情報の表示や画面の切り替え等が実行される。
（第２プリントモード）
次に、第２プリントモードについて説明する。
【００４９】
撮影者がプリントモードボタン３８を押圧操作して第２プリントモードを選択し、第２プリントモードプログラムの実行を指示する旨の設定が行われると、ディスプレイ２６には、第２プリントモードが選択されたことを表示するマーク等の情報が表示される。
【００５０】
図８に示されるように、ステップ１３０で第２プリントモードが設定され、ステップ１３２で撮影が行われると、次のステップ１３４では、ディスプレイ２６に撮影画像を表示するとともに、直ちにプリント処理を実行する。なお、ここでは、問い合わせ情報等は表示されず、またプリント処理については、第１プリントモードで説明した動作と同じである（図７参照）。そして、プリント出力後に、ステップ１３６で次の撮影が可能な待機状態に設定し、その後に本第２プリントモードプログラムを終了する（ステップ１３８）。
（第３プリントモード）
次に、第３プリントモードについて説明する。
【００５１】
撮影者がプリントモードボタン３８を押圧操作して第３プリントモードを選択し、第３プリントモードプログラムの実行を指示する旨の設定が行われると、ディスプレイ２６には、第３プリントモードが選択されたことを表示するマーク等の情報が表示される。
【００５２】
図９に示されるように、ステップ１４０で第３プリントモードが設定され、ステップ１４２で撮影が行われると、ステップ１４４では、第１プリントモードと同様に、ディスプレイ２６に撮影画像９０とともに問い合わせ情報９２が表示される（図５参照）。
【００５３】
次のステップ１４６では、主制御部５８に設けられているタイマによりタイムカウントを開始し、ステップ１４８で、そのタイムカウント開始から所定時間経過したか否かが判定される。なお、このタイムカウントの開始タイミングについては、撮影時、あるいは、撮影画像９０や問い合わせ情報９２の表示時を契機とするなどができる。
【００５４】
ステップ１４８で、否定判定された場合には、ステップ１５０に移行してプリント出力するか否かが判定され、プリントボタン４０の押圧操作による肯定判定の場合には、ステップ１５２のプリント処理に移行し、撮影画像９０をプリント出力する。プリント出力後は、ステップ１５４で問い合わせ情報９２をディスプレイ２６から消去し、ステップ１５６で次の撮影が可能な待機状態に設定し、その後に本第３プリントモードプログラムを終了する（ステップ１５８）。
【００５５】
ステップ１４８で、肯定判定された場合は、ステップ１５２のプリント処理に移行して撮影画像９０をプリント出力し、以下、上記と同じステップを経てプログラムを終了する。
【００５６】
また、ステップ１５０で、プリントボタン４０が押圧操作されず、他の操作が行われるなどした場合は、プリント出力に対する否定判定が下されて、ステップ１５４に移行し、問い合わせ情報９２の表示消去及び上記操作に応じた処理の実行後に撮影待機状態の設定がなされてプログラムが終了する。
【００５７】
なお、ステップ１５０の判定待ち状態で何ら指示が入力されない場合は、ステップ１４６に移行して、ステップ１４６でのタイムカウント、ステップ１４８でのタイムカウント開始から所定時間経過したか否かの判定を継続する。
（第４プリントモード）
次に、第４プリントモードについて説明する。
【００５８】
撮影者がプリントモードボタン３８を押圧操作して第４プリントモードを選択し、第４プリントモードプログラムの実行を指示する旨の設定が行われると、ディスプレイ２６には、第４プリントモードが選択されたことを表示するマーク等の情報が表示される。
【００５９】
図１０に示されるように、ステップ１６０で第４プリントモードが設定され、ステップ１６２で撮影が行われると、ステップ１６４では、第１及び第３プリントモードと同様に、ディスプレイ２６に撮影画像９０とともに問い合わせ情報９２が表示される（図５参照）。次に、第３プリントモードと同様に、ステップ１６６でタイムカウントを開始し、ステップ１６８で、そのタイムカウント開始から所定時間経過したか否かを判定する。
【００６０】
ステップ１４８で、否定判定された場合には、ステップ１７０に移行してプリント出力するか否かが判定され、プリントボタン４０の押圧操作による肯定判定の場合には、ステップ１７２のプリント処理に移行し、撮影画像９０をプリント出力する。プリント出力後は、ステップ１７４で問い合わせ情報９２をディスプレイ２６から消去し、ステップ１７６で次の撮影が可能な待機状態に設定し、その後に本第４プリントモードプログラムを終了する（ステップ１７８）。
【００６１】
ステップ１６８で、肯定判定された場合は、ステップ１７４に移行して問い合わせ情報９２をディスプレイ２６から消去し、ステップ１７６で待機状態に設定してプログラムを終了する。
【００６２】
また、ステップ１７０で、プリントボタン４０が押圧操作されず、他の操作が行われるなどした場合は、プリント出力に対する否定判定が下されて、ステップ１７４に移行し、問い合わせ情報９２の表示消去及び上記操作に応じた処理の実行後に撮影待機状態の設定がなされてプログラムが終了する。
【００６３】
なお、ステップ１７０の判定待ち状態で何ら指示が入力されない場合は、ステップ１６６に移行して、ステップ１６６でのタイムカウント、ステップ１６８でのタイムカウント開始から所定時間経過したか否かの判定を継続する。
【００６４】
以上説明したように、本実施形態のデジタルカメラ１０では、第１プリントモードを選択すると、撮像素子４６により撮像された被写体のデジタル画像データが画像蓄積用メモリ５６に記憶されて撮影が行われ、主制御部５８により制御されるディスプレイ２６には、撮影後にその撮像画像をプリント出力するか否かの報知情報としての問い合わせ情報９２が表示される。ここで、ユーザーがプリントボタン４０を操作してプリント出力させる指示を入力すると、その指示に基づいて主制御部５８はプリンター７０を駆動制御し、問い合わせ情報９２と対応する画像、すなわち直前に撮像された画像をプリント出力させる。このような第１プリントモードにより、プリント出力の操作が簡単になる。
【００６５】
また、本実施の形態では、第２プリントモードを選択すると、撮影後に、主制御部５８はプリンター７０を駆動制御して、直前に撮像された画像を自動的にプリント出力させる。このような第２プリントモードにより、プリント出力が更に簡単になる。
【００６６】
また、本実施の形態では、第３プリントモードを選択すると、撮影後に、ディスプレイ２６にはその撮像画像をプリント出力するか否かの問い合わせ情報９２が表示され、ここで、プリント出力させる指示が所定時間経過しても入力されない場合は、問い合わせ情報９２と対応する画像がプリント出力される。このような第３プリントモードによっても、プリント出力の操作が簡単になる。
【００６７】
また、本実施の形態では、第４プリントモードを選択すると、撮影後に、ディスプレイ２６にはその撮像画像をプリント出力するか否かの問い合わせ情報９２が表示され、ここで、プリント出力させる指示が所定時間経過しても入力されない場合は、問い合わせ情報９２の表示が消去されて撮像可能な待機状態に設定される。このような第４プリントモードにより、撮影した画像の確認後にプリント出力をせず、撮像待機状態に戻す際の操作が簡単になる。
【００６８】
さらに、本実の施形態では、プリントモードボタン３８により選択的に切り替えられる４種類のプリントモードを備えたことで、プリント出力機能のバリエーションが増え利便性が高められる。
【００６９】
また、本実施の形態では、撮像後又は撮像可能な待機状態において、Ｕｐボタン２８、Ｄｏｗｎボタン３０を操作することにより、ディスプレイ２６に表示される画像を選択的に切り替えることができる。これにより、ユーザーは、特に撮影及び再生モードの切り替え操作などすることなく、以前に撮影した画像を簡単に確認することができる。
【００７０】
以上、本発明を上述した特定の実施形態により詳細に説明したが、本発明はそれに限定されるものではなく、本発明の範囲内にて他の種々の実施形態が可能である。例えば、撮影後にその撮像した画像をプリント出力するか否かを報知する報知情報は、文字情報に限らず記号等を用いてもよく、また撮影画像に重ならないように表示したり、画像無しの状態で表示することもできる。また、プリントモードについては、上述した全てのモードを備える必要は無く、何れか１つ、あるいは、２〜３種類のプリントモードを組み合わせることもできる。
【００７１】
また本発明は、上述したデジタルカメラの他に、プリンターを搭載した撮像装置、例えばビデオカメラや撮影機能を備えるＰＤＡ等にも適用することができる。
【００７２】
【発明の効果】
本発明の撮像装置は上記構成としたので、簡単な操作によりプリント出力することができる。
【図面の簡単な説明】
【図１】本発明の一実施形態に係るデジタルカメラを正面側から見た外観図である。
【図２】図１のデジタルカメラを背面側から見た外観図である。
【図３】本発明の一実施形態に係るデジタルカメラの構成を示すブロック図である。
【図４】本発明の一実施形態に係るディスプレイに表示される各種情報を示した図である。
【図５】本発明の一実施形態に係るディスプレイに表示される問い合わせ情報を示した図である。
【図６】本発明の一実施形態に係る第１プリントモードプログラムの処理の流れを示すフローチャートである。
【図７】本発明の一実施形態に係るプリント処理の動作の流れを示すフローチャートである。
【図８】本発明の一実施形態に係る第２プリントモードプログラムの処理の流れを示すフローチャートである。
【図９】本発明の一実施形態に係る第３プリントモードプログラムの処理の流れを示すフローチャートである。
【図１０】本発明の一実施形態に係る第４プリントモードプログラムの処理の流れを示すフローチャートである。
【符号の説明】
１０　　　　デジタルカメラ（撮像装置）
２６　　　　ディスプレイ（表示手段）
２８　　　　Ｕｐボタン（表示画像切替手段）
３０　　　　Ｄｏｗｎボタン（表示画像切替手段）
３８　　　　プリントモードボタン（プリントモード切替手段）
４０　　　　プリントボタン（入力手段）
４６　　　　撮像素子（撮像手段）
５６　　　　画像蓄積用メモリ（記憶手段）
５８　　　　主制御部（制御手段）
７０　　　　プリンター（プリント出力手段）
７６　　　　プリントヘッド
７８　　　　プリントヘッド制御部
８０　　　　プリントヘッドモータ
８２　　　　モータ制御部
８４　　　　現像ユニット
９２　　　　問い合わせ情報（報知情報）
【図１】
2004120482.tif 000003
【図２】
2004120482.tif 000004
【図３】
2004120482.tif 000005
【図４】
2004120482.tif 000006
【図５】
2004120482.tif 000007
【図６】
2004120482.tif 000008
【図７】
2004120482.tif 000009
【図８】
2004120482.tif 000010
【図９】
2004120482.tif 000011
【図１０】
2004120482.tif 000012